(57)【要約】【課題】ＮＯＭＡ技術に従い、基地局が中継局を介して移動通信装置と通信する無線アクセスシステムにおいて送信効率を高める技術を提供する。【解決手段】基地局は、第１タイムスロットにおいて第１多重信号を送信し、複数の中継局のうちの第１中継局を除く第２中継局は、第１タイムスロットにおいて基地局から受信する第１多重信号を復号し、基地局は、第１タイムスロットにおいて基地局から受信する第１多重信号の復号の成功した第２中継局の数が閾値より大きいと、第１タイムスロットの次の第２タイムスロットにおいて第２多重信号を送信し、第１タイムスロットにおいて基地局から受信する第１多重信号の復号の成功した第２中継局の数が閾値以下であると、第２タイムスロットにおける第２多重信号の送信を停止する。【選択図】図２
2019165368.tif 000002
【特許請求の範囲】
【請求項１】
基地局と、複数の中継局と、複数の移動通信装置と、を含み、非直交多元アクセス技術に従い前記基地局が前記複数の中継局のいずれか１つの中継局を介して前記複数の移動通信装置それぞれへの多重信号を送信する無線アクセスシステムであって、
前記基地局は、第１タイムスロットにおいて第１多重信号を送信し、
前記複数の中継局のうちの第１中継局を除く第２中継局は、前記第１タイムスロットにおいて前記基地局から受信する前記第１多重信号を復号し、
前記基地局は、前記第１タイムスロットにおいて前記基地局から受信する前記第１多重信号の復号の成功した第２中継局の数が閾値より大きいと、前記第１タイムスロットの次の第２タイムスロットにおいて第２多重信号を送信し、前記第１タイムスロットにおいて前記基地局から受信する前記第１多重信号の復号の成功した第２中継局の数が前記閾値以下であると、前記第２タイムスロットにおける前記第２多重信号の送信を停止することを特徴とする無線アクセスシステム。
【請求項２】
前記第１中継局は、前記第１タイムスロットの１つ前の第３タイムスロットで前記基地局から受信した第３多重信号の復号に成功し、かつ、前記第１タイムスロットで前記第３多重信号の復号結果に基づき前記複数の移動通信装置それぞれへの多重信号を生成して送信している中継局であることを特徴とする請求項１に記載の無線アクセスシステム。
【請求項３】
前記第２中継局は、前記第１多重信号の復号結果を前記複数の移動通信装置に通知し、前記複数の移動通信装置から前記第１多重信号の復号に成功した第２中継局の数を取得し、
前記第２中継局の少なくとも１つは、前記第１多重信号の復号に成功した第２中継局の数と前記閾値とを比較し、前記第１多重信号の復号の成功した第２中継局の数が前記閾値以下であると、前記基地局に前記第２タイムスロットでの前記第２多重信号の送信停止を通知することを特徴とする請求項１又は２に記載の無線アクセスシステム。
【請求項４】
前記複数の中継局のそれぞれは前記基地局とのチャネル利得を測定し、
前記第２中継局は、前記第１多重信号の復号結果を前記複数の移動通信装置に通知し、前記複数の移動通信装置から前記第１多重信号の復号に成功した第２中継局の数を取得し、
前記第１多重信号の復号に成功した第２中継局のうち、前記第２タイムスロットで前記第１多重信号の復号結果に基づき前記複数の移動通信装置それぞれへの多重信号を生成して送信すると選択された第３中継局は、パイロット信号を送信し、
前記複数の中継局のうちの前記第３中継局以外の第４中継局は、前記第３中継局が送信する前記パイロット信号に基づき前記第３中継局とのチャネル利得を測定し、
前記第４中継局は、前記第１多重信号の復号に成功した第２中継局の数と、前記基地局とのチャネル利得と、前記第３中継局とのチャネル利得を前記基地局に通知し、
前記基地局は、前記第４中継局から受信する前記基地局とのチャネル利得と、前記第３中継局とのチャネル利得とに基づき前記閾値を決定し、前記閾値と前記第１多重信号の復号に成功した第２中継局の数とに基づき、前記第２タイムスロットで、前記第２多重信号の送信を停止するか否かを決定することを特徴とする請求項３に記載の無線アクセスシステム。
【発明の詳細な説明】
【技術分野】
【０００１】
本発明は、非直交多元アクセス（ＮＯＭＡ）技術を使用し、基地局が中継局を介して移動通信装置と通信する無線アクセスシステムに関する。
【背景技術】
【０００２】
信号対雑音比（ＳＮ比）の異なる複数の移動通信装置（ＵＥ）に対して、パワー軸で重ね合わせた信号を送信し、移動通信装置では逐次干渉除去（ＳＩＣ）により、自装置宛の信号を取り出す非直交多元アクセス（ＮＯＭＡ）技術が提案されている。非特許文献１は、ＮＯＭＡ技術を使用し、基地局（ＢＳ）が、半二重中継局（ＲＳ）を介してＵＥと通信する無線アクセスシステムを開示している。なお、半二重中継局とは、送信と受信を同時に行えない中継局を意味する。
【０００３】
以下、図１を用いて非特許文献１が開示する構成を説明する。ＢＳは、ＵＥ＃１及びＵＥ＃２宛の信号をＮＯＭＡ技術により重ね合わせて送信する。以下、ＵＥ＃１宛の信号を信号Ｓ１と呼び、ＵＥ＃２宛の信号を信号Ｓ２と呼び、信号Ｓ１と信号Ｓ２とをＮＯＭＡ技術により重ね合わせた信号を、単に、多重信号と呼ぶものとする。ＲＳ＃１〜ＲＳ＃５は、それぞれこの多重信号を受信し、多重信号から信号Ｓ１と信号Ｓ２とを取り出す。なお、多重信号から信号Ｓ１を取り出すことを多重信号から信号Ｓ１を復号するとも表現し、多重信号から信号Ｓ２を取り出すことを多重信号から信号Ｓ２を復号するとも表現する。
【０００４】
続いて、信号Ｓ１と信号Ｓ２の両方を復号できたＲＳから所定の基準で１つのＲＳが選択される。ここでは、ＲＳ＃３が選択されたものとする。この場合、ＲＳ＃３は、信号Ｓ１と信号Ｓ２の多重信号を送信し、ＵＥ＃１及びＵＥ＃２は、この多重信号を受信して、自装置宛の信号をそれぞれ復号する。なお、この間、ＲＳ＃３は、多重信号を受信できないため、選択されたＲＳ＃３が多重信号を送信している間、ＢＳは、次の多重信号を送信せず、ＲＳ＃３が多重信号の送信を終えた後、ＢＳは、次の多重信号の送信を開始する。
【先行技術文献】
【特許文献】
【０００５】
【特許文献１】Ｚｈｉｇｕｏ  Ｄｉｎｇ，ｅｔ  ａｌ．，"Ｒｅｌａｙ  ｓｅｌｅｃｔｉｏｎ  ｆｏｒ  ｃｏｏｐｅｒａｔｉｖｅ  ＮＯＭＡ"，ＩＥＥＥ  Ｗｉｒｅｌｅｓｓ  Ｃｏｍｍｕｎｉｃａｔｉｏｎｓ  Ｌｅｔｔｅｒｓ，ｖｏｌ．５，ｎｏ．４，ｐｐ．４１６−４１９，２０１６年８月
【発明の概要】
【発明が解決しようとする課題】
【０００６】
図５は、非特許文献１の構成における多重信号送信タイミングの説明図である。なお、１回の多重信号の送信を１つのタイムスロット（ＴＳ）としている。まず、ＴＳ＃１で、ＢＳが多重信号を送信し、ＲＳ＃１〜＃５がこの多重信号を受信する。続いて、ＴＳ＃２で、選択されたＲＳ、ここでは、ＲＳ＃３が多重信号を送信する。このとき、ＢＳ並びにＲＳ＃１、ＲＳ＃２、ＲＳ＃４及びＲＳ＃５は待機状態となる。続いて、ＴＳ＃３で、ＢＳが多重信号を送信し、ＲＳ＃１〜＃５がこの多重信号を受信する。続いて、ＴＳ＃４で、選択されたＲＳ、ここでは、ＲＳ＃１が多重信号を送信する。このとき、ＢＳ及びＲＳ＃２〜＃５は待機状態となる。この様に、非特許文献１の構成では、ＢＳとＲＳとが同時に多重信号を送信できず、送信効率が劣化する。
【０００７】
本発明は、ＮＯＭＡ技術に従い、基地局が中継局を介して移動通信装置と通信する無線アクセスシステムにおいて送信効率を高める技術を提供するものである。
【課題を解決するための手段】
【０００８】
本発明の一態様によると、基地局と、複数の中継局と、複数の移動通信装置と、を含み、非直交多元アクセス技術に従い前記基地局が前記複数の中継局のいずれか１つの中継局を介して前記複数の移動通信装置それぞれへの多重信号を送信する無線アクセスシステムであって、前記基地局は、第１タイムスロットにおいて第１多重信号を送信し、前記複数の中継局のうちの第１中継局を除く第２中継局は、前記第１タイムスロットにおいて前記基地局から受信する前記第１多重信号を復号し、前記基地局は、前記第１タイムスロットにおいて前記基地局から受信する前記第１多重信号の復号の成功した第２中継局の数が閾値より大きいと、前記第１タイムスロットの次の第２タイムスロットにおいて第２多重信号を送信し、前記第１タイムスロットにおいて前記基地局から受信する前記第１多重信号の復号の成功した第２中継局の数が前記閾値以下であると、前記第２タイムスロットにおける前記第２多重信号の送信を停止することを特徴とする。
【発明の効果】
【０００９】
本発明によると、ＮＯＭＡ技術に従い、基地局が中継局を介して移動通信装置と通信する無線アクセスシステムにおいて送信効率を高めることができる。
【図面の簡単な説明】
【００１０】
【図１】一実施形態による無線アクセスシステムの構成図。
【図２】一実施形態による多重信号送信タイミングの説明図。
【図３】一実施形態によるＲＳ選択及び基地局送信制御のシーケンス図。
【図４】一実施形態による基地局送信制御のシーケンス図。
【図５】背景技術による多重信号送信タイミングの説明図。
【発明を実施するための形態】
【００１１】
以下、本発明の例示的な実施形態について図面を参照して説明する。なお、以下の実施形態は例示であり、本発明を実施形態の内容に限定するものではない。また、以下の各図においては、実施形態の説明に必要ではない構成要素については図から省略する。
【００１２】
＜第一実施形態＞
図１は、本実施形態による無線アクセスシステムの構成を示している。図１によると、無線アクセスシステムは、１つのＢＳと、５つの半二重ＲＳ＃１〜ＲＳ＃５と、２つのＵＥ＃１及びＵＥ＃２と、を備えている。なお、ＵＥ＃１は、ＵＥ＃２より優先度が高く、ＵＥ＃１に対するターゲットレートをＲ１とする。また、ＵＥ＃２に関しては、優先度がＵＥ＃１より低く、ターゲットレートをＲ２とするが、エラーの発生を許容する、ベストエフォート型とする。図２は、本実施形態における多重信号送信タイミングの説明図である。まず、非特許文献１の構成とは異なり、本実施形態においてＢＳは、基本的には総てのＴＳにおいて多重信号を送信する。ＴＳ＃１でＲＳ＃１〜ＲＳ＃５は、多重信号を受信し、多重信号から信号Ｓ１及び信号Ｓ２を復号する。ここで、図１においては、信号Ｓ１及び信号Ｓ２の復号に成功したＲＳを○で示し、復号に失敗したＲＳを×で示している。ＴＳ＃１において、多重信号の復号に成功したＲＳを、以下では、ＴＳ＃１における候補ＲＳと呼ぶものとする。同様に、ＴＳ＃ｎで多重信号の復号に成功したＲＳを、以下では、ＴＳ＃ｎにおける候補ＲＳと呼ぶものとする。
【００１３】
ＴＳ＃１における候補ＲＳからＴＳ＃２において多重信号を送信するＲＳが選択される。なお、どの様に選択するかについては後述する。図２においては、ＴＳ＃１における候補ＲＳからＲＳ＃２が選択され、ＴＳ＃２においてＲＳ＃２は、多重信号を送信している。ＴＳ＃２においてＲＳ＃２は多重信号を送信するため、ＲＳ＃２は、ＴＳ＃２においてＢＳが送信する多重信号を受信できない。なお、他のＲＳ＃１、ＲＳ＃３、ＲＳ＃４及びＲＳ＃５は、ＢＳからの多重信号を受信でき、実際に受信を行う。ここで、ＲＳ＃１、ＲＳ＃５は、ＴＳ＃１における候補ＲＳであるため、ＲＳ＃１及びＲＳ＃５にとっては、ＴＳ＃２においてＲＳ＃２が送信する多重信号は既知である。したがって、ＲＳ＃１及びＲＳ＃５は、ＴＳ＃２においてＲＳ＃２が送信する多重信号の影響を除去して、ＢＳからの多重信号を精度良く受信することができる。なお、ＲＳ＃３、ＲＳ＃４は、ＴＳ＃１における候補ＲＳではなく、よって、ＲＳ＃３及びＲＳ＃４にとっては、ＴＳ＃２においてＲＳ＃２が送信する多重信号は既知ではない。しかしながら、ＲＳ＃２と、ＲＳ＃３及びＲＳ＃４とのチャネル利得によっては、ＲＳ＃３及びＲＳ＃４も、ＴＳ＃２において、ＢＳからの多重信号から信号Ｓ１及び信号Ｓ２を取り出すことができる。図２の例においては、ＴＳ＃２において、ＲＳ＃１、ＲＳ＃４及びＲＳ＃５が基地局からの多重信号の復号に成功し、よって、ＴＳ＃２における候補ＲＳとなっている。
【００１４】
図２の例においては、ＴＳ＃３で、ＴＳ＃２の候補ＲＳからＲＳ＃５が選択されて多重信号の送信を行っている。また、ＴＳ＃３において、ＲＳ＃２及びＲＳ＃３が基地局からの多重信号の復号に成功し、よって、ＴＳ＃３における候補ＲＳとなっている。ここで、本実施形態において、ＴＳ＃ｎにおける候補ＲＳの数が閾値κ以下であると、ＢＳはＴＳ＃（ｎ＋１）での送信を停止する。図２の例では、閾値κ＝２としている。したがって、ＴＳ＃４においてＢＳは多重信号を送信しない。なお、ＴＳ＃４においては、ＴＳ＃３の候補ＲＳからＲＳ＃２が選択されて多重信号の送信を行っている。また、ＴＳ＃４においてＢＳは多重信号を送信しないため、ＴＳ＃４の候補ＲＳはない。
【００１５】
ＴＳ＃５において、ＢＳは多重信号を送信し、ＲＳ＃１〜ＲＳ＃５は、この多重信号を受信して復号する。ＴＳ＃５においては、ＲＳ＃１〜ＲＳ＃３及びＲＳ５が多重信号の復号に成功し、よって、ＴＳ＃５の候補ＲＳとなっている。ＴＳ＃６では、ＴＳ＃５の候補ＲＳからＲＳ＃３が選択されて多重信号の送信を行っている。また、ＴＳ＃６において、ＲＳ＃１、ＲＳ＃２及びＲＳ＃５が基地局からの多重信号の復号に成功し、よって、ＴＳ＃６における候補ＲＳとなっている。
【００１６】
この様に、ＴＳ＃ｎにおける候補ＲＳの数が閾値κより大きいと、ＴＳ＃（ｎ＋１）においてＢＳは多重信号を送信し、かつ、ＴＳ＃ｎにおける候補ＲＳから選択されたＲＳも多重信号を送信する。一方、ＴＳ＃ｎにおける候補ＲＳの数が閾値κ以下であると、ＴＳ＃（ｎ＋１）においては、ＴＳ＃ｎにおける候補ＲＳから選択されたＲＳは多重信号を送信するが、ＢＳは多重信号の送信を停止する。
【００１７】
以下、ＴＳ＃ｎにおける候補ＲＳの数が閾値κ以下であると、ＴＳ＃（ｎ＋１）においてＢＳが多重信号の送信を停止する理由について説明する。上述した様に、基本的には、ＴＳ＃（ｎ＋１）において、ＢＳは多重信号（第１多重信号）を送信し、かつ、ＴＳ＃ｎにおける候補ＲＳのうちの１つのＲＳ（ＲＳ＿Ａ）も多重信号（第２多重信号）を送信する。なお、第２多重信号は、ＢＳがＴＳ＃ｎで送信した多重信号に対応する。また、ＴＳ＃（ｎ＋１）において、ＴＳ＃ｎにおける候補ＲＳではないＲＳ（ＲＳ＿Ｂ）と、ＴＳ＃ｎにおける候補ＲＳのうちのＲＳ＿Ａ以外のＲＳ（ＲＳ＿Ｃ）は、ＢＳからの第１多重信号を受信する。
【００１８】
ここで、ＲＳ＿Ｃは、ＴＳ＃ｎでの第１多重信号の復号に成功しており、よって、ＴＳ＃（ｎ＋１）でＲＳ＿Ａが送信する第２多重信号を知っているため、ＲＳ＿Ａが送信する第２多重信号に起因する干渉を抑えることができ、ＢＳからの第１多重信号の復号に成功する確率は高い。一方、ＲＳ＿Ｂは、ＴＳ＃ｎでの第１多重信号の復号に成功しておらず、よって、ＴＳ＃（ｎ＋１）においてＢＳからの第１多重信号の復号に成功する確率は低い。したがって、候補ＲＳの数が少なくなると、ＴＳ（ｎ＋１）でＢＳが送信する多重信号の復号に成功するＲＳがなくなる可能性が高くなる。したがって、本実施形態では、ＴＳ＃ｎにおける候補ＲＳの数が閾値κ以下であると、ＴＳ＃（ｎ＋１）においてＢＳによる多重信号の送信を停止させる。そして、ＢＳは、ＴＳ＃（ｎ＋２）から多重信号の送信を再開する。ここで、ＴＳ＃（ｎ＋２）の状態は、ＴＳ＃１と同じ状態である。つまり、本実施形態では、ＴＳ＃ｎにおける候補ＲＳの数が閾値κ以下であると、一旦、構成を初期状態（ＴＳ＃１の状態）に戻す。これにより、候補ＲＳが少なくなることによる問題を解決する。
【００１９】
続いて、ＴＳ＃ｎにおける候補ＲＳからＴＳ＃（ｎ＋１）において多重信号を送信するＲＳをどの様に選択するかと、候補ＲＳの数に基づきどの様にＴＳ＃（ｎ＋１）におけるＢＳの送信を制御するかについて説明する。なお、以下の説明において、図１に示す様に、ＢＳからＲＳ＃ｋ（ｋは１〜５の整数）へのチャネル利得をｈｋとする。また、ＲＳ＃ｋからＵＥ＃１へのチャネル利得をｇｋ１とし、ＲＳ＃ｋからＵＥ＃２へのチャネル利得をｇｋ２とする。なお、ＲＳ＃ｋは、チャネル利得ｈｋを、任意の公知の方法、例えば、ＢＳからのパイロット信号の測定等により知っているものとする。同様に、ＵＥ＃１は、チャネル利得ｇｋ１を知っており、ＵＥ＃２は、チャネル利得ｇｋ２を知っているものとする。さらに、ＵＥ＃１宛の信号を信号Ｓ１とし、ＵＥ＃２宛の信号を信号Ｓ２とする。このとき、多重信号ｘは以下の式で表される。
ｘ＝√ａ１×Ｓ１＋√ａ２×Ｓ２
ａ１＋ａ２＝１
【００２０】
例えば、非特許文献１に記載されている様に、ＢＳが送信する多重信号から信号Ｓ１をＲＳ＃ｋが取り出すためには、以下の式を満たす必要がある。なお、以下の式においてρは信号対雑音比であり、Ｒ１は、ＵＥ＃１へのターゲットレートであり閾値でもある。
【００２１】
【数１】
2019165368.tif 000003
同様に、ＢＳが送信する多重信号から信号Ｓ２をＲＳ＃ｋが取り出すためには、以下の式を満たす必要がある。なお、Ｒ２は、ＵＥ＃２へのターゲットレートであり閾値でもある。
【００２２】
【数２】
2019165368.tif 000004
【００２３】
図３は、ＴＳ＃ｎにおける候補ＲＳからＴＳ＃（ｎ＋１）において多重信号を送信するＲＳを選択し、かつ、ＴＳ＃（ｎ＋１）でＢＳが多重信号を送信するか否かを制御するための処理のシーケンス図である。なお、図３の処理は、ＴＳ＃ｎとＴＳ＃（ｎ＋１）との間に行われる。Ｓ１０において、各ＲＳ＃１〜＃５は、それぞれ、ＴＳ＃ｎにおいて多重信号の復号に成功したか否か、より具体的には、多重信号から信号Ｓ１及び信号Ｓ２を取り出すことができたか否かを式（１）及び（２）により判定し、判定結果をＵＥ＃１及びＵＥ＃２に向けてブロードキャストする。これにより、ＵＥ＃１及びＵＥ＃２は、ＴＳ＃ｎにおける候補ＲＳを認識する。
【００２４】
Ｓ１１において、ＵＥ＃１は、候補ＲＳの数を示す情報と、候補ＲＳのうち、所定条件を満たすＲＳを示す情報を各ＲＳ＃１〜＃５にブロードキャストする。なお、ＲＳを示す情報とは、例えば、ＲＳの識別子である。ここで、所定条件は、所定の閾値Ｒ１に対して、ＵＥ＃１とのチャネル利得が以下の式を満たすＲＳである。なお、所定の閾値Ｒ１は、例えば、ＵＥ＃１に対するターゲットレートである。
【００２５】
【数３】
2019165368.tif 000005
【００２６】
Ｓ１２において、ＵＥ＃２は、候補ＲＳの数を示す情報と、候補ＲＳのうち、所定条件を満たすＲＳを示す情報を各ＲＳ＃１〜＃５にブロードキャストする。ここで、所定条件は、所定の閾値Ｒ１に対して、ＵＥ＃２とのチャネル利得が以下の式を満たすＲＳである。
【００２７】
【数４】
2019165368.tif 000006
【００２８】
各ＲＳ＃１〜＃５は、式（３）及び式（４）を共に満たすＲＳの集合をＳとし、各ＲＳ＃１〜＃５は、それぞれ、集合Ｓに含まれるＲＳを示す情報をＵＥ＃１及びＵＥ＃２に向けてブロードキャストする。式（３）及び式（４）の条件を共に満たすＲＳが送信する多重信号を受信すると、ＵＥ＃１及びＵＥ＃２は、信号Ｓ２をノイズとして見做すことができ、よって、信号Ｓ１を復元することができる。
【００２９】
Ｓ１４で、ＵＥ＃２は、Ｓに含まれるＲＳのうち、ＵＥ＃２とのチャネル利得が最も大きいＲＳを示す情報を各ＲＳ＃１〜＃５にブロードキャストする。Ｓ１４で示されるＲＳが、ＴＳ＃（ｎ＋１）において多重信号を送信するＲＳとなる。チャネル利得が最も大きいＲＳを選択するのは、ＵＥ＃２におけるエラーの発生を抑えるためである。しかしながら、集合Ｓから他の条件に従いＴＳ＃（ｎ＋１）において多重信号を送信するＲＳを決定しても良い。
【００３０】
続いて、ＲＳ＃１〜ＲＳ＃５は、Ｓ１５で、候補ＲＳの数が閾値κ以下であるか否かを判定する。なお、各ＲＳは、Ｓ１１及びＳ１２で候補ＲＳの数を取得している。ＲＳ＃１〜ＲＳ＃５は、候補ＲＳの数が閾値κ以下であると、Ｓ１６でＢＳに次のＴＳでの送信の停止を指示する。なお、ＲＳ＃１〜ＲＳ＃５のそれぞれがＳ１６でＢＳに通知する構成であっても良いが、所定の１つ以上のＲＳがＢＳに通知する構成とすることができる。また、当然ではあるが、候補ＲＳの数が閾値κより大きいと、Ｓ１６の処理は行われない。
【００３１】
なお、本実施形態では、ＴＳ＃ｎでの候補ＲＳの数が閾値κ以下であると、ＴＳ＃（ｎ＋１）におけるＢＳの多重信号の送信を停止させていたが、Ｓ１３でＵＥ＃１及びＵＥ＃２に通知する集合Ｓに含まれるＲＳの数が閾値κ以下であると、ＴＳ＃（ｎ＋１）におけるＢＳの多重信号の送信を停止させる構成とすることもできる。この場合、ＵＥ＃１は、Ｓ１１で所定条件を満たすＲＳを示す情報のみを送信すれば良く、復号に成功したＲＳの数、つまり、候補ＲＳの数を送信する必要はない。同様に、ＵＥ＃２は、Ｓ１２で所定条件を満たすＲＳを示す情報のみを送信すれば良く、復号に成功したＲＳの数、つまり、候補ＲＳの数を送信する必要はない。
【００３２】
なお、図２においては、タイムスロットの終わりを設けていないが、例えば、Ｎ個のタイムスロットを１つの周期とすることができる。この場合、ＢＳは、ＴＳ＃１からＴＳ＃（Ｎ−１）番目までのタイムスロットにおいては、基本的には多重信号を送信し、最後、つまり、ＴＳ＃Ｎにおいては多重信号を送信しない。なお、ＴＳ＃１からＴＳ＃（Ｎ−１）番目までのタイムスロットにおいても、上述した様に候補ＲＳの数に応じてＢＳは多重信号の送信を停止する。この場合、式（１）〜式（４）の右辺は、Ｎ／（Ｎ−１）倍にする。
【００３３】
なお、２つのＵＥへの多重信号を送信する例で説明したため、式（３）（ＵＥ＃１へのチャネル利得の条件）と、式（４）（ＵＥ＃２へのチャネル利得の条件）の２つの条件を満たすＲＳの集合をＳとしたが、３つ以上のＵＥの場合には、同様に、ＵＥの数に等しい数の条件を満たすＲＳの集合をＳとする。また、３つ以上のＵＥがある場合、集合Ｓに含まれるＲＳから多重信号を送信するＲＳは、最も優先度の高いＵＥ以外のＵＥから任意の方法で決めておく。
【００３４】
＜第二実施形態＞
第一実施形態では、所定のκを予めＲＳに保存し、ＲＳにおいて次のＴＳでのＢＳの送信可否を判定してＢＳに通知していた。本実施形態では、κを動的に変更する構成について説明する。まず、ＴＳ＃（ｎ＋１）で多重信号を送信するＲＳを選択ＲＳと呼び、それ以外のＲＳを非選択ＲＳと呼ぶものとする。上述した様に、非選択ＲＳは、ＴＳ＃（ｎ＋１）でＢＳが送信する多重信号を受信するが、非選択ＲＳにとって選択ＲＳは干渉源となる。したがって、ＢＳと非選択ＲＳとのチャネル利得と、選択ＲＳと非選択ＲＳとのチャネル利得に応じて、ＴＳ＃（ｎ＋１）においてＢＳからの多重信号の復号に成功する非選択ＲＳの数は変化する。よって、閾値κの値を、ＢＳと非選択ＲＳとのチャネル利得と、選択ＲＳと非選択ＲＳとのチャネル利得に応じて決定することで、ＴＳ毎に閾値κを最適化できる。
【００３５】
図４は、本実施形態による、ＴＳ＃（ｎ＋１）でＢＳが多重信号を送信するか否かを制御するための処理のシーケンス図である。なお、図４の処理は、図３の処理のＳ１４の後に続けて実行される。つまり、本実施形態の処理は、図３のＳ１５及びＳ１６を、図４に示すＳ２０〜Ｓ２４に置き換えるものである。なお、図３のＳ１４までの処理により、各ＲＳは、自装置がＴＳ＃（ｎ＋１）での選択ＲＳであるか非選択ＲＳであるかを認識している。また、各ＲＳは、候補ＲＳの数も取得している。また、第一実施形態と同様に、各ＲＳは、ＢＳとのチャネル利得を認識している。
【００３６】
Ｓ２０において、候補ＲＳはパイロット信号を送信し、非選択ＲＳは、Ｓ２１で、選択ＲＳが送信するパイロット信号に基づき候補ＲＳとのチャネル利得を求める。Ｓ２２で、各非選択ＲＳは、ＢＳとのチャネル利得と、候補ＲＳとのチャネル利得と、候補ＲＳの数をＢＳに通知する。ＢＳは、Ｓ２３で、各非選択ＲＳから通知される、ＢＳとのチャネル利得と、候補ＲＳとのチャネル利得と、に基づき、所定のアルゴリズムにより閾値κを判定する。そして、ＢＳは、Ｓ２４で、候補ＲＳの数が閾値κ以下であると、ＴＳ＃（ｎ＋１）での送信を停止すると決定し、そうではないと、ＴＳ＃（ｎ＋１）において多重信号を送信する。
【００３７】
なお、本発明によるＢＳ、ＲＳ、ＵＥは、コンピュータを上記ＢＳ、ＲＳ、ＵＥとして動作させるプログラムにより実現することができる。これらコンピュータプログラムは、コンピュータが読み取り可能な記憶媒体に記憶されて、又は、ネットワーク経由で配布が可能なものである。
【図１】
2019165368.tif 000007
【図２】
2019165368.tif 000008
【図３】
2019165368.tif 000009
【図４】
2019165368.tif 000010
【図５】
2019165368.tif 000011